【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する決定手段と、
可変表示が開始されてから一旦仮停止させた後に可変表示を再度実行する再可変表示を所定回実行する再可変表示手段と、
前記再可変表示手段によって実行される再可変表示の各々における複数のタイミングにて、前記有利状態に制御されることを予告する複数の予告演出を実行可能な予告演出実行手段と、
前記予告演出実行手段により予告演出を実行するか否かと、実行する場合に前記複数のタイミングにて実行される予告演出を決定する予告演出決定手段とを備え、
前記予告演出実行手段は、前記複数のタイミングのうち第１タイミングにて、互いに異なる演出態様に対応して前記有利状態に制御される可能性の段階を異ならせた複数の第１予告演出のいずれかを実行可能であるとともに、前記複数のタイミングのうち前記第１タイミングよりも遅い第２タイミングにて、互いに異なる演出態様に対応して前記有利状態に制御される可能性の段階を異ならせた複数の第２予告演出のいずれかを実行可能であり、
前記予告演出決定手段は、
前記再可変表示手段による一の再可変表示における前記複数のタイミングのうち、前記第１タイミングにて前記複数の第１予告演出のうちの前記有利状態に制御される可能性が第１通常段階よりも高い第１特定段階に対応した特定演出態様の第１特定予告演出が実行される場合に、前記第２タイミングにて前記複数の第２予告演出のうちの前記有利状態に制御される可能性が第２特定段階よりも低い第２通常段階に対応した通常演出態様の第２通常予告演出が実行されないまたは実行されにくいように、前記複数のタイミングにて実行される予告演出を決定し、
所定回実行される再可変表示のうちの第１再可変表示における前記第１タイミングにて前記第１特定段階に対応した特定演出態様の前記第１特定予告演出が実行される場合に、所定回実行される再可変表示のうち前記第１再可変表示より後に実行される第２再可変表示における前記第１タイミングにて前記第１通常段階に対応した通常演出態様の第１通常予告演出が実行されないまたは実行されにくいように、所定回実行される再可変表示にて実行される予告演出を決定し、
前記再可変表示の有無によって期待度が異なる、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に関する。
【手続補正３】
【補正対象書類名】明細書
【補正対象項目名】０００５
【補正方法】変更
【補正の内容】
【０００５】
特許文献１に記載された技術において、遊技の興趣を向上させることが望まれる。
【手続補正４】
【補正対象書類名】明細書
【補正対象項目名】０００６
【補正方法】変更
【補正の内容】
【０００６】
この発明は、上記実状に鑑みてなされたものであり、遊技の興趣を向上させた遊技機の提供を目的とする。
【手続補正５】
【補正対象書類名】明細書
【補正対象項目名】０００７
【補正方法】変更
【補正の内容】
【０００７】
（１）上記目的を達成するため、本願の請求項に係る遊技機は、可変表示を行い、遊技者にとって有利な有利状態に制御可能な遊技機であって、前記有利状態に制御するか否かを決定する決定手段と、可変表示が開始されてから一旦仮停止させた後に可変表示を再度実行する再可変表示を所定回実行する再可変表示手段と、前記再可変表示手段によって実行される再可変表示の各々における複数のタイミングにて、前記有利状態に制御されることを予告する複数の予告演出を実行可能な予告演出実行手段と、前記予告演出実行手段により予告演出を実行するか否かと、実行する場合に前記複数のタイミングにて実行される予告演出を決定する予告演出決定手段とを備え、前記予告演出実行手段は、前記複数のタイミングのうち第１タイミングにて、互いに異なる演出態様に対応して前記有利状態に制御される可能性の段階を異ならせた複数の第１予告演出のいずれかを実行可能であるとともに、前記複数のタイミングのうち前記第１タイミングよりも遅い第２タイミングにて、互いに異なる演出態様に対応して前記有利状態に制御される可能性の段階を異ならせた複数の第２予告演出のいずれかを実行可能であり、前記予告演出決定手段は、前記再可変表示手段による一の再可変表示における前記複数のタイミングのうち、前記第１タイミングにて前記複数の第１予告演出のうちの前記有利状態に制御される可能性が第１通常段階よりも高い第１特定段階に対応した特定演出態様の第１特定予告演出が実行される場合に、前記第２タイミングにて前記複数の第２予告演出のうちの前記有利状態に制御される可能性が第２特定段階よりも低い第２通常段階に対応した通常演出態様の第２通常予告演出が実行されないまたは実行されにくいように、前記複数のタイミングにて実行される予告演出を決定し、所定回実行される再可変表示のうちの第１再可変表示における前記第１タイミングにて前記第１特定段階に対応した特定演出態様の前記第１特定予告演出が実行される場合に、所定回実行される再可変表示のうち前記第１再可変表示より後に実行される第２再可変表示における前記第１タイミングにて前記第１通常段階に対応した通常演出態様の第１通常予告演出が実行されないまたは実行されにくいように、所定回実行される再可変表示にて実行される予告演出を決定し、前記再可変表示の有無によって期待度が異なる。
本発明の他の遊技機は、各々を識別可能な複数種類の識別情報（例えば特別図柄や飾り図柄など）の可変表示を行い表示結果を導出する可変表示手段（例えば第１及び第２特別図柄表示装置４Ａ，４Ｂや、画像表示装置５など）に予め定められた特定表示結果（例えば大当り図柄や大当り組合せの確定飾り図柄など）が導出されたときに、遊技者にとって有利な特定遊技状態（例えば大当り遊技状態など）に制御する遊技機（例えばパチンコ遊技機１など）であって、前記特定遊技状態に制御するか否かを、識別情報の表示結果が導出される以前に決定する事前決定手段（例えばステップＳ２４０、Ｓ２４１の処理を実行する遊技制御用マイクロコンピュータ１００のＣＰＵ１０３など）と、識別情報の可変表示が開始されてから識別情報の表示結果が導出されるまでに、前記特定遊技状態に制御されることを予告する複数の予告演出を実行可能な予告演出実行手段（例えばステップＳ４６４の処理を実行する演出制御用ＣＰＵ１２０など）と、前記予告演出実行手段により実行可能な複数の予告演出のうち第１予告演出（例えば変動開始時予告、全図柄変動中予告、図柄減速時予告、リーチ成立後予告のいずれかなど）を選択する第１予告演出選択手段（例えばステップＳ５０３〜Ｓ５０５、Ｓ５０９の処理のいずれかを実行する演出制御用ＣＰＵ１２０など）と、前記第１予告演出選択手段により選択された前記第１予告演出と予め対応付けられた第１予告特定用データ（例えば変動開始時予告のカテゴリ情報など）を設定する第１予告特定用データ設定手段（例えばステップＳ６０２の処理を実行する演出制御用ＣＰＵ１２０など）と、前記第１予告特定用データ設定手段により設定された第１予告特定用データに基づいて、前記予告演出実行手段により実行可能な複数の予告演出のうち第２予告演出（例えば全図柄変動中予告、図柄減速時予告、リーチ成立後予告、リーチ発展時予告のいずれかなど）を選択する第２予告演出選択手段（例えばステップＳ５０４、Ｓ５０５、Ｓ５０９、Ｓ５１３の処理のいずれかを実行する演出制御用ＣＰＵ１２０など）と、第１予告禁止条件が成立したときに、前記予告演出実行手段による前記第１予告演出の実行を禁止する第１予告演出禁止手段（例えばステップＳ４６２におけるＹｅｓの判定に基づいて、ステップＳ４６３、Ｓ４６４の処理を実行しない演出制御用ＣＰＵ１２０など）とを備え、前記第１予告演出禁止手段により前記第１予告演出の実行が禁止されるときでも、前記第１予告演出選択手段は前記第１予告演出を選択して、前記第１予告特定用データ設定手段は該第１予告演出と対応付けられた第１予告特定用データを設定し、当該第１予告特定用データに基づいて、前記第２予告演出選択手段は前記第２予告演出を選択する（例えばステップＳ５０３〜Ｓ５０５、Ｓ５０９の処理は、変動パターンなどに基づくステップＳ４６２における判定結果にかかわらず実行される部分など）。
前記遊技機は、識別情報の可変表示が開始されてから識別情報の表示結果が導出されるまでに一旦仮停止させた後に識別情報の可変表示を再度実行する再可変表示を所定回実行する再可変表示手段（例えばステップＳ１７２において擬似連の可変表示を実行する演出制御用ＣＰＵ１２０など）を更に備えてもよい。また、前記予告演出実行手段は、前記再可変表示手段によって実行される再可変表示の各々において前記複数の予告演出を実行可能であってもよい。そして、前記第１予告演出選択手段は、所定回実行される再可変表示のうちの第１再可変表示にて前記複数の予告演出のうちで前記特定遊技状態となる可能性が通常段階よりも高い特定段階に対応した特定演出態様の第１特定予告演出を選択する場合に、所定回実行される再可変表示のうち前記第１再可変表示より後に実行される第２再可変表示にて前記通常段階に対応した通常演出態様の第２通常予告演出が実行されないまたは実行されにくいように、所定回実行される再可変表示のそれぞれにおいて前記第１予告演出を選択してもよい。
また、前記遊技機は、前記事前決定手段による決定前に、前記特定表示結果が導出されるか否かを判定する判定手段（例えばステップＳ２１０Ａ〜Ｓ２１０Ｄの処理を行う遊技制御用マイクロコンピュータ１００のＣＰＵ１０３など）と、前記判定手段による判定結果に基づいて、当該判定結果に対応する識別情報の可変表示が開始される以前に、前記特定遊技状態に制御されることを予告する特定演出を実行可能な特定演出実行手段（例えばステップＳ１９１〜Ｓ１９７の処理によって決定された予告を実行する演出制御用ＣＰＵ１２０など）と、を更に備えてもよい。そして、前記第１予告演出選択手段は、前記特定演出実行手段により前記特定演出が一の演出態様で実行された後、当該一の演出態様と比較して前記特定遊技状態となる可能性が低い演出態様で実行されないまたは実行されにくいように、前記第１予告演出を選択してもよい。